(57)【要約】【課題】異なるデザインの装飾体を同じ種類の装身具に用いたり、同じデザインの装飾体を他種類の装身具に用いることができる装飾体及び装身具を提供する。【解決手段】耳朶に穿設された孔に通すスタッド１１と、スタッド１１の一端部に該スタッド１１の径より大径の膨頭状の飾りパーツ１２とを有し、膨頭状の飾りパーツ１２に鎖１３が揺動自在に吊設され、鎖１３が管状の飾りパーツ１４に通され、鎖１３の他端にリング１５が揺動自在に吊設され、リング１５に鎖１６が揺動自在に吊設され、鎖１６の他端に飾りパーツ１７が吊設されてなり、膨頭状の飾りパーツ１２の径は、筒状の飾りパーツ１４の膨頭状の飾りパーツ１２側の開口部の径より大径で、かつ、管状の飾りパーツ１４のリング１５側の開口部の径より小径とし、リング１５の径は、管状の飾りパーツ１４のリング１５側の開口部の径より大径とする。【選択図】図１Ａ
0003149679.tif 000002
【実用新案登録請求の範囲】
【請求項１】
貴金属及びその他の金属又はその他適宜の素材からなり、
耳朶に穿設された孔に通すスタッドと、
前記スタッドの一端部に該スタッドの径より大径の膨頭状の飾りパーツとを有し、
前記膨頭状の飾りパーツに第１の鎖が揺動自在に吊設され、前記第１の鎖が管状の飾りパーツに通され、前記第１の鎖の他端にリングが揺動自在に吊設され、前記リングに第２の鎖が揺動自在に吊設され、前記第２の鎖の他端に第１の飾りパーツが吊設されてなり、
前記膨頭状の飾りパーツの径は、前記筒状の飾りパーツの前記膨頭状の飾りパーツ側の開口部の径より大径で、かつ、前記管状の飾りパーツの前記リング側の開口部の径より小径であり、
前記リングの径は、前記管状の飾りパーツの前記リング側の開口部の径より大径であり、
前記スタッドを支持して吊したとき、前記管状の飾りパーツが前記リングによって支持されるとともに、前記膨頭状の飾りパーツが前記管状の飾りパーツから突出し、
前記第１の飾りパーツを支持して吊したとき、前記管状の飾りパーツが前記膨頭状の飾りパーツによって支持されるとともに、前記膨頭状の飾りパーツが前記管状の飾りパーツの中に隠れ、
前記第１の飾りパーツを下にして前記管状の飾りパーツを支持して吊したとき、前記膨頭状の飾りパーツが前記管状の飾りパーツによって支持されるとともに、前記膨頭状の飾りパーツが前記管状の飾りパーツの中に隠れ、
前記第１の飾りパーツ及び前記管状の飾りパーツを下にして前記リングを支持して吊したとき、前記膨頭状の飾りパーツが前記管状の飾りパーツによって支持されるとともに、前記膨頭状の飾りパーツが前記管状の飾りパーツの中に隠れ、
単体でピアスとして用いることができるように構成したことを特徴とする装飾体。
【請求項２】
前記管状の飾りパーツの前記第１の鎖の側の頂部にバチ環が設けられたことを特徴とする請求項１に記載の装飾体。
【請求項３】
前記リングと第３の鎖に吊設された第２の飾りパーツとに、前記第３の鎖を介して前記第２の飾りパーツが前記リングに着脱可能に吊設される着脱手段が設けられたことを特徴とする請求項１又は請求項２に記載の装飾体。
【請求項４】
装飾基体と装飾体とからなるペンダントネックレス等の装身具において、
前記装飾基体と前記装飾体とが別個の構成体として分けられ、
前記装飾体及び前記装飾基体に係合によって着脱可能な着脱手段を備え、
前記装飾体は、
貴金属及びその他の金属又はその他適宜の素材からなり、
耳朶に穿設された孔に通すスタッドと、
前記スタッドの一端部に該スタッドの径より大径の膨頭状の飾りパーツとを有し、
前記膨頭状の飾りパーツに第１の鎖が揺動自在に吊設され、前記第１の鎖が管状の飾りパーツに通され、前記第１の鎖の他端にリングが揺動自在に吊設され、前記リングに第２の鎖が揺動自在に吊設され、前記第２の鎖の他端に第１の飾りパーツが吊設されてなり、
前記膨頭状の飾りパーツの径は、前記筒状の飾りパーツの前記膨頭状の飾りパーツ側の開口部の径より大径で、かつ、前記管状の飾りパーツの前記リング側の開口部の径より小径であり、
前記リングの径は、前記管状の飾りパーツの前記リング側の開口部の径より大径であり、
前記スタッドを支持して吊したとき、前記管状の飾りパーツが前記リングによって支持されるとともに、前記膨頭状の飾りパーツが前記管状の飾りパーツから突出し、
前記第１の飾りパーツを支持して吊したとき、前記管状の飾りパーツが前記膨頭状の飾りパーツによって支持されるとともに、前記膨頭状の飾りパーツが前記管状の飾りパーツの中に隠れ、
前記第１の飾りパーツを下にして前記管状の飾りパーツを支持して吊したとき、前記膨頭状の飾りパーツが前記管状の飾りパーツによって支持されるとともに、前記膨頭状の飾りパーツが前記管状の飾りパーツの中に隠れ、
前記第１の飾りパーツ及び前記管状の飾りパーツを下にして前記リングを支持して吊したとき、前記膨頭状の飾りパーツが前記管状の飾りパーツによって支持されるとともに、前記膨頭状の飾りパーツが前記管状の飾りパーツの中に隠れ、
前記管状の飾りパーツの前記第１の鎖の側の頂部に、前記装飾基体より大径のバチ環が設けられ、
単体でピアスとして用いることができるように構成し、
前記装飾基体は、ネックレスであり、
前記着脱手段は、
前記管状の飾りパーツを上にして前記第１の飾りパーツが吊され、前記バチ環に前記装飾基体が通され、前記管状の飾りパーツが前記バチ環を介して前記装飾基体に支持されて、前記第１の飾りパーツが垂設されることで、前記装飾体と前記装飾基体とが係合するように構成し、
前記装飾体を前記装飾基体に取り付けたとき、ペンダントネックレスとして用いることができるように構成したこと特徴とする装身具。
【請求項５】
装飾基体と装飾体とからなるペンダントピアスやペンダントイヤリング等の装身具において、
前記装飾基体と前記装飾体とが別個の構成体として分けられ、
前記装飾体及び前記装飾基体に係合によって着脱可能な第１の着脱手段を備え、
前記装飾体は、
貴金属及びその他の金属又はその他適宜の素材からなり、
耳朶に穿設された孔に通すスタッドと、
前記スタッドの一端部に該スタッドの径より大径の膨頭状の飾りパーツとを有し、
前記膨頭状の飾りパーツに第１の鎖が揺動自在に吊設され、前記第１の鎖が管状の飾りパーツに通され、前記第１の鎖の他端にリングが揺動自在に吊設され、前記リングに第２の鎖が揺動自在に吊設され、前記第２の鎖の他端に第１の飾りパーツが吊設されてなり、
前記膨頭状の飾りパーツの径は、前記筒状の飾りパーツの前記膨頭状の飾りパーツ側の開口部の径より大径で、かつ、前記管状の飾りパーツの前記リング側の開口部の径より小径であり、
前記リングの径は、前記管状の飾りパーツの前記リング側の開口部の径より大径であり、
前記スタッドを支持して吊したとき、前記管状の飾りパーツが前記リングによって支持されるとともに、前記膨頭状の飾りパーツが前記管状の飾りパーツから突出し、
前記第１の飾りパーツを支持して吊したとき、前記管状の飾りパーツが前記膨頭状の飾りパーツによって支持されるとともに、前記膨頭状の飾りパーツが前記管状の飾りパーツの中に隠れ、
前記第１の飾りパーツを下にして前記管状の飾りパーツを支持して吊したとき、前記膨頭状の飾りパーツが前記管状の飾りパーツによって支持されるとともに、前記膨頭状の飾りパーツが前記管状の飾りパーツの中に隠れ、
前記第１の飾りパーツ及び前記管状の飾りパーツを下にして前記リングを支持して吊したとき、前記膨頭状の飾りパーツが前記管状の飾りパーツによって支持されるとともに、前記膨頭状の飾りパーツが前記管状の飾りパーツの中に隠れ、
単体でピアスとして用いることができるように構成し、
前記装飾基体は、
貴金属及びその他の金属又はその他適宜の素材からなり、
前記第１の飾りパーツよりは狭く前記第１の鎖よりは広い幅の２本の平行線からなる支持部と、
前記支持部の２本の平行線の延長部が前記第１の飾りパーツを通すことができる大きさに成形され閉じられた挿通部と、
前記支持部の２本の平行線の他方の延長部が１本に合体するように加工され、前記合体した部位が加工されて形成された身体への取り付けを可能にする取り付け部とを備え、
前記取り付け部を介して身体へ取り付けた状態で、前記支持部の２本の平行線が重なる方向からみて、前記支持部の一部又は全部が水平となり、前記支持部の水平部を前記挿通部と前記合体した部位とでＵ字状に囲むように構成し、
前記第１の着脱手段は、
前記第１の飾りパーツを上にして前記管状の飾りパーツ及び前記膨頭状の飾りパーツが吊され、前記第１の飾りパーツが前記挿通部に通され、前記第１の鎖が前記支持部の２本の平行線の間に通され、前記第１の飾りパーツが前記支持部に支持されて、前記管状の飾りパーツ及び前記膨頭状の飾りパーツが垂設されることで、前記装飾体と前記装飾基体とが係合するように構成したことを特徴とする装身具。
【請求項６】
前記リングと第３の鎖に吊設された第２の飾りパーツとに、前記第３の鎖を介して前記第２の飾りパーツが前記リングに着脱可能に吊設される第２の着脱手段が設けられ、
貴金属及びその他の金属又はその他適宜の素材からなり、前記飾りパーツよりも狭い幅の部位を有する２本線が前記挿通部に上に向けて突設され、
前記第３の鎖が前記２本線の間に通され、前記第３の鎖を介して前記リングに取り付けられた第２の飾りパーツが、前記第２の飾りパーツよりも狭い幅の部位に着脱可能に取り付けられたことを特徴とする請求項５に記載の装身具。
【請求項７】
前記取り付け部は、アメリカンフックピアスの取り付け部となるように加工され、
前記装飾体を前記装飾基体に取り付けたとき、アメリカンフックピアスとして用いることができるように構成したことを特徴とする請求項５又は請求項６に記載の装身具。
【請求項８】
前記取り付け部は、イヤリングの取り付け部となるように加工され、
前記装飾体を前記装飾基体に取り付けたとき、ペンダントイヤリングとして用いることができるように構成したことを特徴とする請求項５又は請求項６に記載の装身具。
【請求項９】
装飾基体と装飾体とからなるペンダントネックレス等の装身具において、
前記装飾基体と前記装飾体とが別個の構成体として分けられ、
前記装飾体及び前記装飾基体に係合によって着脱可能な着脱手段を備え、
前記装飾体は、
貴金属及びその他の金属又はその他適宜の素材からなり、
耳朶に穿設された孔に通すスタッドと、
前記スタッドの一端部に該スタッドの径より大径の膨頭状の飾りパーツとを有し、
前記膨頭状の飾りパーツに第１の鎖が揺動自在に吊設され、前記第１の鎖が管状の飾りパーツに通され、前記第１の鎖の他端にリングが揺動自在に吊設され、前記リングに第２の鎖が揺動自在に吊設され、前記第２の鎖の他端に第１の飾りパーツが吊設されてなり、
前記膨頭状の飾りパーツの径は、前記筒状の飾りパーツの前記膨頭状の飾りパーツ側の開口部の径より大径で、かつ、前記管状の飾りパーツの前記リング側の開口部の径より小径であり、
前記リングの径は、前記管状の飾りパーツの前記リング側の開口部の径より大径であり、
前記スタッドを支持して吊したとき、前記管状の飾りパーツが前記リングによって支持されるとともに、前記膨頭状の飾りパーツが前記管状の飾りパーツから突出し、
前記第１の飾りパーツを支持して吊したとき、前記管状の飾りパーツが前記膨頭状の飾りパーツによって支持されるとともに、前記膨頭状の飾りパーツが前記管状の飾りパーツの中に隠れ、
前記第１の飾りパーツを下にして前記管状の飾りパーツを支持して吊したとき、前記膨頭状の飾りパーツが前記管状の飾りパーツによって支持されるとともに、前記膨頭状の飾りパーツが前記管状の飾りパーツの中に隠れ、
前記第１の飾りパーツ及び前記管状の飾りパーツを下にして前記リングを支持して吊したとき、前記膨頭状の飾りパーツが前記管状の飾りパーツによって支持されるとともに、前記膨頭状の飾りパーツが前記管状の飾りパーツの中に隠れ、
単体でピアスとして用いることができるように構成し、
前記装飾基体は、
ネックレスと、
前記ネックレスに取り付けられたペンダントトップとを有し、
前記ペンダントトップは、
貴金属及びその他の金属又はその他適宜の素材からなり、
前記第１の飾りパーツよりは狭く前記第１の鎖よりは広い幅の２本の平行線からなる平行線部を備え、
前記平行線部には、前記ネックレスを身体へ取り付けた状態で、前記平行線部の２本の平行線が重なる方向からみて、Ｕ字状やゼンマイ状の部位が設けられ、
前記着脱手段は、
前記第１の飾りパーツを上にして前記管状の飾りパーツ及び前記膨頭状の飾りパーツが吊され、前記第１の鎖が前記平行線部の間に通され、前記第１の飾りパーツが前記平行線部に支持されて、前記管状の飾りパーツ及び前記膨頭状の飾りパーツが前記平行線部のＵ字状やゼンマイ状の部位の接線が水平となるところに垂設されることで、前記装飾体と前記装飾基体とが係合するように、或いは、
前記リングを上にして前記管状の飾りパーツ，前記膨頭状の飾りパーツ，及び，前記第１の飾りパーツが吊され、前記リングが前記平行線部の一本線又は二本線に通され、前記リングが前記平行線部に支持されて、前記管状の飾りパーツ，前記膨頭状の飾りパーツ，及び，前記第１の飾りパーツが前記平行線部のＵ字状やゼンマイ状の部位の接線が水平となるところに垂設されることで、前記装飾体と前記装飾基体とが係合するように構成し、
前記装飾体を前記装飾基体に取り付けたとき、ペンダントネックレスとして用いることができるように構成したこと特徴とする装身具。
【考案の詳細な説明】
【技術分野】
【０００１】
本考案は、ピアス，ペンダントネックレス，ペンダントピアス，ペンダントイヤリング等の装身具に関する。
【背景技術】
【０００２】
一般に、ペンダントネックレス，ペンダントピアス，ペンダントイヤリング等の装身具は、固有のデザインが施された装飾体と、この装飾体を吊り下げた状態で保持するための装飾基体とで構成されている。前記装飾基体は、ペンダントネックレスであれば、首回りに着脱できる構成のものであり、また、ペンダントピアスであれば、耳朶に着脱できる構成のものである。
【先行技術文献】
【特許文献】
【０００３】
【特許文献１】特開平８−２４９１４号公報
【考案の概要】
【考案が解決しようとする課題】
【０００４】
しかしながら、従来のこの種の装身具では、装飾基体と装飾体とが一体化されており、異なるデザインの装飾体を同じ種類の装身具に用いたり、同じデザインの装飾体を他種類の装身具に用いたい場合には、新たに装身具を購入する以外になく、不経済であった。
【０００５】
そこで、本考案が解決しようとする課題は、装飾基体と装飾体とを別個の構成体とすることにより、異なるデザインの装飾体を同じ種類の装身具に用いたり、同じデザインの装飾体を他種類の装身具に用いることができる装飾体及び装身具を提供することである。
【課題を解決するための手段】
【０００６】
この考案は、前記課題を解決するためになされたもので、請求項１の考案に係る装飾体は、貴金属及びその他の金属又はその他適宜の素材からなり、耳朶に穿設された孔に通すスタッドと、前記スタッドの一端部に該スタッドの径より大径の膨頭状の飾りパーツとを有し、前記膨頭状の飾りパーツに第１の鎖が揺動自在に吊設され、前記第１の鎖が管状の飾りパーツに通され、前記第１の鎖の他端にリングが揺動自在に吊設され、前記リングに第２の鎖が揺動自在に吊設され、前記第２の鎖の他端に第１の飾りパーツが吊設されてなり、前記膨頭状の飾りパーツの径は、前記筒状の飾りパーツの前記膨頭状の飾りパーツ側の開口部の径より大径で、かつ、前記管状の飾りパーツの前記リング側の開口部の径より小径であり、前記リングの径は、前記管状の飾りパーツの前記リング側の開口部の径より大径であり、前記スタッドを支持して吊したとき、前記管状の飾りパーツが前記リングによって支持されるとともに、前記膨頭状の飾りパーツが前記管状の飾りパーツから突出し、前記第１の飾りパーツを支持して吊したとき、前記管状の飾りパーツが前記膨頭状の飾りパーツによって支持されるとともに、前記膨頭状の飾りパーツが前記管状の飾りパーツの中に隠れ、前記第１の飾りパーツを下にして前記管状の飾りパーツを支持して吊したとき、前記膨頭状の飾りパーツが前記管状の飾りパーツによって支持されるとともに、前記膨頭状の飾りパーツが前記管状の飾りパーツの中に隠れ、前記第１の飾りパーツ及び前記管状の飾りパーツを下にして前記リングを支持して吊したとき、前記膨頭状の飾りパーツが前記管状の飾りパーツによって支持されるとともに、前記膨頭状の飾りパーツが前記管状の飾りパーツの中に隠れ、単体でピアスとして用いることができるように構成したことを特徴としている。
【０００７】
請求項２の考案に係る装飾体は、請求項１に記載の考案において、前記管状の飾りパーツの前記第１の鎖の側の頂部にバチ環が設けられたことを特徴としている。
【０００８】
請求項３の考案に係る装飾体は、請求項１又は請求項２に記載の考案において、前記リングと第３の鎖に吊設された第２の飾りパーツとに、前記第３の鎖を介して前記第２の飾りパーツが前記リングに着脱可能に吊設される着脱手段が設けられたことを特徴としている。
【０００９】
請求項４に記載の考案は、装飾基体と装飾体とからなるペンダントネックレス等の装身具において、前記装飾基体と前記装飾体とが別個の構成体として分けられ、前記装飾体及び前記装飾基体に係合によって着脱可能な着脱手段を備え、前記装飾体は、貴金属及びその他の金属又はその他適宜の素材からなり、耳朶に穿設された孔に通すスタッドと、前記スタッドの一端部に該スタッドの径より大径の膨頭状の飾りパーツとを有し、前記膨頭状の飾りパーツに第１の鎖が揺動自在に吊設され、前記第１の鎖が管状の飾りパーツに通され、前記第１の鎖の他端にリングが揺動自在に吊設され、前記リングに第２の鎖が揺動自在に吊設され、前記第２の鎖の他端に第１の飾りパーツが吊設されてなり、前記膨頭状の飾りパーツの径は、前記筒状の飾りパーツの前記膨頭状の飾りパーツ側の開口部の径より大径で、かつ、前記管状の飾りパーツの前記リング側の開口部の径より小径であり、前記リングの径は、前記管状の飾りパーツの前記リング側の開口部の径より大径であり、前記スタッドを支持して吊したとき、前記管状の飾りパーツが前記リングによって支持されるとともに、前記膨頭状の飾りパーツが前記管状の飾りパーツから突出し、前記第１の飾りパーツを支持して吊したとき、前記管状の飾りパーツが前記膨頭状の飾りパーツによって支持されるとともに、前記膨頭状の飾りパーツが前記管状の飾りパーツの中に隠れ、前記第１の飾りパーツを下にして前記管状の飾りパーツを支持して吊したとき、前記膨頭状の飾りパーツが前記管状の飾りパーツによって支持されるとともに、前記膨頭状の飾りパーツが前記管状の飾りパーツの中に隠れ、前記第１の飾りパーツ及び前記管状の飾りパーツを下にして前記リングを支持して吊したとき、前記膨頭状の飾りパーツが前記管状の飾りパーツによって支持されるとともに、前記膨頭状の飾りパーツが前記管状の飾りパーツの中に隠れ、前記管状の飾りパーツの前記第１の鎖の側の頂部に、前記装飾基体より大径のバチ環が設けられ、単体でピアスとして用いることができるように構成し、前記装飾基体は、ネックレスであり、前記着脱手段は、前記管状の飾りパーツを上にして前記第１の飾りパーツが吊され、前記バチ環に前記装飾基体が通され、前記管状の飾りパーツが前記バチ環を介して前記装飾基体に支持されて、前記第１の飾りパーツが垂設されることで、前記装飾体と前記装飾基体とが係合するように構成し、前記装飾体を前記装飾基体に取り付けたとき、ペンダントネックレスとして用いることができるように構成したこと特徴としている。
【００１０】
請求項５に記載の考案は、装飾基体と装飾体とからなるペンダントピアスやペンダントイヤリング等の装身具において、前記装飾基体と前記装飾体とが別個の構成体として分けられ、前記装飾体及び前記装飾基体に係合によって着脱可能な第１の着脱手段を備え、前記装飾体は、貴金属及びその他の金属又はその他適宜の素材からなり、耳朶に穿設された孔に通すスタッドと、前記スタッドの一端部に該スタッドの径より大径の膨頭状の飾りパーツとを有し、前記膨頭状の飾りパーツに第１の鎖が揺動自在に吊設され、前記第１の鎖が管状の飾りパーツに通され、前記第１の鎖の他端にリングが揺動自在に吊設され、前記リングに第２の鎖が揺動自在に吊設され、前記第２の鎖の他端に第１の飾りパーツが吊設されてなり、前記膨頭状の飾りパーツの径は、前記筒状の飾りパーツの前記膨頭状の飾りパーツ側の開口部の径より大径で、かつ、前記管状の飾りパーツの前記リング側の開口部の径より小径であり、前記リングの径は、前記管状の飾りパーツの前記リング側の開口部の径より大径であり、前記スタッドを支持して吊したとき、前記管状の飾りパーツが前記リングによって支持されるとともに、前記膨頭状の飾りパーツが前記管状の飾りパーツから突出し、前記第１の飾りパーツを支持して吊したとき、前記管状の飾りパーツが前記膨頭状の飾りパーツによって支持されるとともに、前記膨頭状の飾りパーツが前記管状の飾りパーツの中に隠れ、前記第１の飾りパーツを下にして前記管状の飾りパーツを支持して吊したとき、前記膨頭状の飾りパーツが前記管状の飾りパーツによって支持されるとともに、前記膨頭状の飾りパーツが前記管状の飾りパーツの中に隠れ、前記第１の飾りパーツ及び前記管状の飾りパーツを下にして前記リングを支持して吊したとき、前記膨頭状の飾りパーツが前記管状の飾りパーツによって支持されるとともに、前記膨頭状の飾りパーツが前記管状の飾りパーツの中に隠れ、単体でピアスとして用いることができるように構成し、前記装飾基体は、貴金属及びその他の金属又はその他適宜の素材からなり、前記第１の飾りパーツよりは狭く前記第１の鎖よりは広い幅の２本の平行線からなる支持部と、前記支持部の２本の平行線の延長部が前記第１の飾りパーツを通すことができる大きさに成形され閉じられた挿通部と、前記支持部の２本の平行線の他方の延長部が１本に合体するように加工され、前記合体した部位が加工されて形成された身体への取り付けを可能にする取り付け部とを備え、前記取り付け部を介して身体へ取り付けた状態で、前記支持部の２本の平行線が重なる方向からみて、前記支持部の一部又は全部が水平となり、前記支持部の水平部を前記挿通部と前記合体した部位とでＵ字状に囲むように構成し、前記第１の着脱手段は、前記第１の飾りパーツを上にして前記管状の飾りパーツ及び前記膨頭状の飾りパーツが吊され、前記第１の飾りパーツが前記挿通部に通され、前記第１の鎖が前記支持部の２本の平行線の間に通され、前記第１の飾りパーツが前記支持部に支持されて、前記管状の飾りパーツ及び前記膨頭状の飾りパーツが垂設されることで、前記装飾体と前記装飾基体とが係合するように構成したことを特徴としている。
【００１１】
請求項６に記載の考案は、請求項５において、前記リングと第３の鎖に吊設された第２の飾りパーツとに、前記第３の鎖を介して前記第２の飾りパーツが前記リングに着脱可能に吊設される第２の着脱手段が設けられ、貴金属及びその他の金属又はその他適宜の素材からなり、前記飾りパーツよりも狭い幅の部位を有する２本線が前記挿通部に上に向けて突設され、前記第３の鎖が前記２本線の間に通され、前記第３の鎖を介して前記リングに取り付けられた第２の飾りパーツが、前記第２の飾りパーツよりも狭い幅の部位に着脱可能に取り付けられたことを特徴としている。
【００１２】
請求項７に記載の考案は、請求項５又は請求項６において、前記取り付け部は、アメリカンフックピアスの取り付け部となるように加工され、前記装飾体を前記装飾基体に取り付けたとき、アメリカンフックピアスとして用いることができるように構成したことを特徴としている。
【００１３】
請求項８に記載の考案は、請求項５又は請求項６において、前記取り付け部は、イヤリングの取り付け部となるように加工され、前記装飾体を前記装飾基体に取り付けたとき、ペンダントイヤリングとして用いることができるように構成したことを特徴としている。
【００１４】
請求項９に記載の考案は、装飾基体と装飾体とからなるペンダントネックレス等の装身具において、前記装飾基体と前記装飾体とが別個の構成体として分けられ、前記装飾体及び前記装飾基体に係合によって着脱可能な着脱手段を備え、前記装飾体は、貴金属及びその他の金属又はその他適宜の素材からなり、耳朶に穿設された孔に通すスタッドと、前記スタッドの一端部に該スタッドの径より大径の膨頭状の飾りパーツとを有し、前記膨頭状の飾りパーツに第１の鎖が揺動自在に吊設され、前記第１の鎖が管状の飾りパーツに通され、前記第１の鎖の他端にリングが揺動自在に吊設され、前記リングに第２の鎖が揺動自在に吊設され、前記第２の鎖の他端に第１の飾りパーツが吊設されてなり、前記膨頭状の飾りパーツの径は、前記筒状の飾りパーツの前記膨頭状の飾りパーツ側の開口部の径より大径で、かつ、前記管状の飾りパーツの前記リング側の開口部の径より小径であり、前記リングの径は、前記管状の飾りパーツの前記リング側の開口部の径より大径であり、前記スタッドを支持して吊したとき、前記管状の飾りパーツが前記リングによって支持されるとともに、前記膨頭状の飾りパーツが前記管状の飾りパーツから突出し、前記第１の飾りパーツを支持して吊したとき、前記管状の飾りパーツが前記膨頭状の飾りパーツによって支持されるとともに、前記膨頭状の飾りパーツが前記管状の飾りパーツの中に隠れ、前記第１の飾りパーツを下にして前記管状の飾りパーツを支持して吊したとき、前記膨頭状の飾りパーツが前記管状の飾りパーツによって支持されるとともに、前記膨頭状の飾りパーツが前記管状の飾りパーツの中に隠れ、前記第１の飾りパーツ及び前記管状の飾りパーツを下にして前記リングを支持して吊したとき、前記膨頭状の飾りパーツが前記管状の飾りパーツによって支持されるとともに、前記膨頭状の飾りパーツが前記管状の飾りパーツの中に隠れ、単体でピアスとして用いることができるように構成し、前記装飾基体は、ネックレスと、前記ネックレスに取り付けられたペンダントトップとを有し、前記ペンダントトップは、貴金属及びその他の金属又はその他適宜の素材からなり、前記第１の飾りパーツよりは狭く前記第１の鎖よりは広い幅の２本の平行線からなる平行線部を備え、前記平行線部には、前記ネックレスを身体へ取り付けた状態で、前記平行線部の２本の平行線が重なる方向からみて、Ｕ字状やゼンマイ状の部位が設けられ、前記着脱手段は、前記第１の飾りパーツを上にして前記管状の飾りパーツ及び前記膨頭状の飾りパーツが吊され、前記第１の鎖が前記平行線部の間に通され、前記第１の飾りパーツが前記平行線部に支持されて、前記管状の飾りパーツ及び前記膨頭状の飾りパーツが前記平行線部のＵ字状やゼンマイ状の部位の接線が水平となるところに垂設されることで、前記装飾体と前記装飾基体とが係合するように、或いは、前記リングを上にして前記管状の飾りパーツ，前記膨頭状の飾りパーツ，及び，前記第１の飾りパーツが吊され、前記リングが前記平行線部の一本線又は二本線に通され、前記リングが前記平行線部に支持されて、前記管状の飾りパーツ，前記膨頭状の飾りパーツ，及び，前記第１の飾りパーツが前記平行線部のＵ字状やゼンマイ状の部位の接線が水平となるところに垂設されることで、前記装飾体と前記装飾基体とが係合するように構成し、前記装飾体を前記装飾基体に取り付けたとき、ペンダントネックレスとして用いることができるように構成したこと特徴としている。
【考案の効果】
【００１５】
本考案の装飾体及び装身具は、装飾基体と装飾体とを別個の構成体とし、それぞれを組み合わせることで、異なるデザインの装飾体を同じ種類の装身具に用いたり、同じデザインの装飾体を他種類の装身具に用いることができるので、装飾基体と装飾体とが一体化された新たな装身具を購入しなくても、装身具のバリエーションを増やすことができ、時・場所・場合に合ったおしゃれを経済的に楽しめるという利点がある。
【図面の簡単な説明】
【００１６】
【図１Ａ】本考案に係る装飾体の一実施形態を模式的に示す正面図である。
【図１Ｂ】本考案に係る装飾体の一実施形態を模式的に示す側面図である（第２の飾りパーツは省略している。）。
【図２】本考案に係る装飾体の一実施形態であって、スタッドを支持して吊したときの状態を模式的に示す図である。
【図３】本考案に係る装飾体の一実施形態であって、飾りパーツを支持して吊したときの状態を模式的に示す図である。
【図４】本考案に係る装飾体の一実施形態であって、管状の飾りパーツを支持して吊したときの状態を模式的に示す図である。
【図５】本考案に係る装飾体の一実施形態であって、リングを支持して吊したときの状態を模式的に示す図である。
【図６】本考案に係る装身具の一実施形態であって、ペンダントネックレスとしての使用例を模式的に示す図である。
【図７】本考案に係る装身具の一実施形態であって、ペンダントネックレスとしての別の使用例を模式的に示す図である。
【図８】本考案に係る装身具の一実施形態であって、アメリカンフックピアスとしての使用例を模式的に示す図である。
【図９Ａ】アメリカンフックピアスの使用例における着脱手段の説明に供する図である（飾りパーツを挿通部に入れる。）。
【図９Ｂ】本考案に係る装身具の一実施形態であって、アメリカンフックピアスとしての使用例を模式的に示す図である（鎖を支持部の間に通す。）。
【図１０】本考案に係る装身具の一実施形態であって、ペンダントピアスとしての使用例を模式的に示す図である。
【図１１】本考案に係る装身具の一実施形態であって、ペンダントイヤリングとしての使用例を模式的に示す図である。
【図１２】本考案に係る装身具の一実施形態であって、ペンダントネックレスとしての他の使用例を模式的に示す図である。
【考案を実施するための形態】
【００１７】
以下、本考案を適用した具体的な実施の形態について、図面を参照しながら詳細に説明する。
【実施例１】
【００１８】
１．装飾体
【００１９】
本考案は、例えば図１Ａ及びＢに示すような構成の装飾体１に適用される。この装飾体１は、貴金属及びその他の金属又はその他適宜の素材からなり、耳朶に穿設された孔に通すスタッド１１と、スタッド１１の一端部に該スタッド１１の径より大径の膨頭状の飾りパーツ１２とを有し、膨頭状の飾りパーツ１２に鎖１３（請求項１の第１の鎖に相当）が揺動自在に吊設され、鎖１３が管状の飾りパーツ１４に通され、鎖１３の他端にリング１５が揺動自在に吊設され、リング１５に鎖１６（請求項１の第２の鎖に相当）が揺動自在に吊設され、鎖１６の他端に飾りパーツ１７（請求項１の第１の飾りパーツに相当）が吊設されてなる。
【００２０】
膨頭状の飾りパーツ１２の径は、筒状の飾りパーツ１４の膨頭状の飾りパーツ１２側の開口部の径より大径で、かつ、管状の飾りパーツ１４のリング１５側の開口部の径より小径である。リング１５の径は、管状の飾りパーツ１４のリング１５側の開口部の径より大径である。
【００２１】
したがって、スタッド１１を支持して吊したとき、図２に示すように、管状の飾りパーツ１４がリング１５によって支持されるとともに、膨頭状の飾りパーツ１２が管状の飾りパーツ１４から突出する。
【００２２】
飾りパーツ１７を支持して吊したとき、図３に示すように、管状の飾りパーツ１４が膨頭状の飾りパーツ１２によって支持されるとともに、膨頭状の飾りパーツ１２が管状の飾りパーツ１４の中に隠れる。
【００２３】
飾りパーツ１７を下にして管状の飾りパーツ１４を支持して吊したとき、図４に示すように、膨頭状の飾りパーツ１２が管状の飾りパーツ１４によって支持されるとともに、膨頭状の飾りパーツ１２が管状の飾りパーツ１４の中に隠れる。
【００２４】
飾りパーツ１７及び管状の飾りパーツ１４を下にしてリング１５を支持して吊したとき、図５に示すように、膨頭状の飾りパーツ１２が管状の飾りパーツ１４によって支持されるとともに、膨頭状の飾りパーツ１２が管状の飾りパーツ１４の中に隠れる。
【００２５】
図１乃至５に示すように、管状の飾りパーツ１４の鎖１３の側の頂部にバチ環２０が設けられている。
【００２６】
リング１５と、鎖１８（請求項３の第３の鎖に相当）に吊設された飾りパーツ１９とに、鎖１８を介して飾りパーツ１９がリング１５に着脱可能に吊設される着脱手段が設けられている。この着脱手段は、例えば、リング１５がリングの一部を開閉する構成を備え、鎖１８がバチ環を有し、該バチ環をリングの開いた部分に通してからリング１５の開いた部分を閉じることで飾りパーツ１９をリング１５に取り付け、その逆の手順を辿ることで飾りパーツ１９をリング１５から取り外すことができるようになっている。なお、飾りパーツ１９は１つに限られず、複数の飾りパーツ１９をリング１５に取り付けてもよい。
【００２７】
この実施例１によれば、装飾体１は、スタッド１１を支持して吊したとき、管状の飾りパーツ１４がリング１５によって支持されるとともに、膨頭状の飾りパーツ１２が管状の飾りパーツ１４から突出し、スタッド１１も管状の飾りパーツ１４から突出するので、スタッド１１を介して単体でピアスとして使用することができる。
【実施例２】
【００２８】
２．装身具
【００２９】
本考案は、例えば図６に示すような構成の装身具１０１に適用される。この装身具１０１は、装飾基体５１と装飾体１とが別個の構成体として分けられ、装飾体１及び装飾基体５１に係合によって着脱可能な着脱手段１５１を主要部として備えている。装飾体１は、既に説明済みであるためここでは説明を省略する。
【００３０】
装飾基体５１は、貴金属及びその他の金属又はその他適宜の素材からなる鎖等で構成されているネックレス５２である。
【００３１】
着脱手段１５１は、管状の飾りパーツ１４を上にして飾りパーツ１７が吊され、バチ環２０にネックレス５２が通され、管状の飾りパーツ１４がバチ環２０を介してネックレス５２に支持されて、飾りパーツ１７が垂設されることで、装飾体１とネックレス５２とが係合するように構成されている。バチ環２０の内径は、ネックレス５２の外径よりも当然大きくなっている。
【００３２】
この実施例２によれば、装飾体１をバチ環２０を介してネックレス５２に取り付けたとき、ペンダントネックレスとして使用することができる。
【００３３】
また、この実施例２の別の使用例として、図７（図中右側の装飾体１）に示すように、リング１５をネックレス５２に通すようにしてもよい。
【実施例３】
【００３４】
本考案は、例えば図８に示すような構成の装身具１０１に適用される。この装身具１０１は、装飾基体５１と装飾体１とが別個の構成体として分けられ、装飾体１及び装飾基体５１に係合によって着脱可能な着脱手段１５１を主要部として備えている。装飾体１は、既に説明済みであるためここでは説明を省略する。
【００３５】
装飾基体５１は、貴金属及びその他の金属又はその他適宜の素材からなり、飾りパーツ１７よりは狭く１３鎖よりは広い幅の２本の平行線からなる支持部５３と、支持部５３の２本の平行線の延長部が飾りパーツ１７を通すことができる大きさに成形され閉じられた挿通部５４と、支持部５３の２本の平行線の他方の延長部が１本に合体するように加工され、合体した部位が加工されて形成された身体への取り付けを可能にする取り付け部５５とを主要部として備えている。
【００３６】
取り付け部５５を介して身体へ取り付けた状態で、支持部５３の２本の平行線が重なる方向からみて、支持部５３の一部又は全部が水平となり、支持部５３の水平部を挿通部５４と合体した部位とでＵ字状に囲むように構成されている。
【００３７】
貴金属及びその他の金属又はその他適宜の素材からなる飾りパーツ１７よりも狭い幅の支持部５６（部位を有する２本線）が挿通部５４に上に向けて突設されている。
【００３８】
着脱手段１５１は、図９Ａ及びＢに示すように、飾りパーツ１７を上にして管状の飾りパーツ１４及び膨頭状の飾りパーツ１２が吊され、飾りパーツ１７が挿通部５４に通され、鎖１３が支持部５３の２本の平行線の間に通され、飾りパーツ１７が支持部５３に支持されて、管状の飾りパーツ１４及び膨頭状の飾りパーツ１２が垂設されることで、装飾体１と装飾基体５１とが係合するように構成されている。
【００３９】
そして、鎖１８が支持部５６の２本線の間に通され、鎖１８を介してリング１５に取り付けられた飾りパーツ１９が、支持部５６に着脱可能に取り付けられている。
【００４０】
取り付け部５５は、図８に示すように、アメリカンフックピアスの取り付け部となるように加工されている。
【００４１】
この実施例３によれば、装飾体１を装飾基体５１に取り付けたとき、アメリカンフックピアスとして使用することができる。なお、鎖１３及びリング１５には、鎖１３をリング１５から着脱可能にする手段が設けられ、鎖１３を含む管状の飾りパーツ１４をリング１５から取り外した状態で使用してもよい。
【実施例４】
【００４２】
本考案は、例えば図１０に示すような構成の装身具１０１に適用される。この装身具１０１は、装飾基体５１と装飾体１とが別個の構成体として分けられ、装飾体１及び装飾基体５１に係合によって着脱可能な着脱手段１５１を主要部として備えている。装飾体１は、既に説明済みであるためここでは説明を省略する。
【００４３】
装飾基体５１は、貴金属及びその他の金属又はその他適宜の素材からなり、飾りパーツ１７よりは狭く１３鎖よりは広い幅の２本の平行線からなる支持部５３と、支持部５３の２本の平行線の延長部が飾りパーツ１７を通すことができる大きさに成形され閉じられた挿通部５４と、支持部５３の２本の平行線の他方の延長部が１本に合体するように加工され、合体した部位が加工されて形成された身体への取り付けを可能にする取り付け部５５とを主要部として備えている。
【００４４】
取り付け部５５を介して身体へ取り付けた状態で、支持部５３の２本の平行線が重なる方向からみて、支持部５３の一部又は全部が水平となり、支持部５３の水平部を挿通部５４と合体した部位とでＵ字状に囲むように構成されている。
【００４５】
貴金属及びその他の金属又はその他適宜の素材からなる飾りパーツ１７よりも狭い幅の支持部５６（部位を有する２本線）が挿通部５４に上に向けて突設されている。
【００４６】
着脱手段１５１は、飾りパーツ１７を上にして管状の飾りパーツ１４及び膨頭状の飾りパーツ１２が吊され、飾りパーツ１７が挿通部５４に通され、鎖１３が支持部５３の２本の平行線の間に通され、飾りパーツ１７が支持部５３に支持されて、管状の飾りパーツ１４及び膨頭状の飾りパーツ１２が垂設されることで、装飾体１と装飾基体５１とが係合するように構成されている。
【００４７】
そして、鎖１８が支持部５６の２本線の間に通され、鎖１８を介してリング１５に取り付けられた飾りパーツ１９が、支持部５６に着脱可能に取り付けられている。
【００４８】
取り付け部５５は、図１０に示すように、ピアスの取り付け部となるように加工されている。
【００４９】
この実施例４によれば、装飾体１を装飾基体５１に取り付けたとき、ペンダントピアスとして使用することができる。
【実施例５】
【００５０】
本考案は、例えば図１１に示すような構成の装身具１０１に適用される。この装身具１０１は、装飾基体５１と装飾体１とが別個の構成体として分けられ、装飾体１及び装飾基体５１に係合によって着脱可能な着脱手段１５１を主要部として備えている。装飾体１は、既に説明済みであるためここでは説明を省略する。
【００５１】
装飾基体５１は、貴金属及びその他の金属又はその他適宜の素材からなり、飾りパーツ１７よりは狭く１３鎖よりは広い幅の２本の平行線からなる支持部５３と、支持部５３の２本の平行線の延長部が飾りパーツ１７を通すことができる大きさに成形され閉じられた挿通部５４と、支持部５３の２本の平行線の他方の延長部が１本に合体するように加工され、合体した部位が加工されて形成された身体への取り付けを可能にする取り付け部５５とを主要部として備えている。
【００５２】
取り付け部５５を介して身体へ取り付けた状態で、支持部５３の２本の平行線が重なる方向からみて、支持部５３の一部又は全部が水平となり、支持部５３の水平部を挿通部５４と合体した部位とでＵ字状に囲むように構成されている。
【００５３】
貴金属及びその他の金属又はその他適宜の素材からなる飾りパーツ１７よりも狭い幅の支持部５６（部位を有する２本線）が挿通部５４に上に向けて突設されている。
【００５４】
着脱手段１５１は、飾りパーツ１７を上にして管状の飾りパーツ１４及び膨頭状の飾りパーツ１２が吊され、飾りパーツ１７が挿通部５４に通され、鎖１３が支持部５３の２本の平行線の間に通され、飾りパーツ１７が支持部５３に支持されて、管状の飾りパーツ１４及び膨頭状の飾りパーツ１２が垂設されることで、装飾体１と装飾基体５１とが係合するように構成されている。
【００５５】
そして、鎖１８が支持部５６の２本線の間に通され、鎖１８を介してリング１５に取り付けられた飾りパーツ１９が、支持部５６に着脱可能に取り付けられている。
【００５６】
取り付け部５５は、図１１に示すように、イヤリングの取り付け部となるように加工されている。
【００５７】
この実施例５によれば、装飾体１を装飾基体５１に取り付けたとき、ペンダントイヤリングとして使用することができる。
【実施例６】
【００５８】
本考案は、例えば図１２に示すような構成の装身具１０１に適用される。この装身具１０１は、装飾基体５１と装飾体１とが別個の構成体として分けられ、装飾体１及び装飾基体５１に係合によって着脱可能な着脱手段１５１を主要部として備えている。装飾体１は、既に説明済みであるためここでは説明を省略する。
【００５９】
装飾基体５１は、ネックレス６１と、ネックレス６１に取り付けられた貴金属及びその他の金属又はその他適宜の素材からなるペンダントトップ６２とを主要部として備えている。
【００６０】
ペンダントトップ６２は、飾りパーツ１７よりは狭く鎖１３よりは広い幅の２本の平行線からなる平行線部６３を備えている。
【００６１】
平行線部６３には、ネックレス６１を身体へ取り付けた状態で、平行線部６３の２本の平行線が重なる方向からみて、Ｕ字状やゼンマイ状の部位が設けられている。
【００６２】
着脱手段１５１は、飾りパーツ１７を上にして管状の飾りパーツ１４及び膨頭状の飾りパーツ１２が吊され、鎖１３が平行線部６３の間に通され、飾りパーツ１７が平行線部６３に支持されて、管状の飾りパーツ１４及び膨頭状の飾りパーツ１２が平行線部６３のＵ字状やゼンマイ状の部位の接線が水平となるところに垂設されることで、装飾体１と装飾基体５１とが係合するように構成されている。
【００６３】
着脱手段１５１は、或いは、リング１５を上にして管状の飾りパーツ１４，膨頭状の飾りパーツ１２，及び，飾りパーツ１７が吊され、リング１５が平行線部６３の一本線又は二本線に通され、リング１５が平行線部６３に支持されて、管状の飾りパーツ１４，膨頭状の飾りパーツ１２，及び，飾りパーツ１７が平行線部６３のＵ字状やゼンマイ状の部位の接線が水平となるところに垂設されることで、装飾体１と装飾基体５１とが係合するように構成してもよい。
【００６４】
この実施例６によれば、装飾体１を装飾基体５１に取り付けたとき、装飾体１が取り付けられた、実施例２とは異なるタイプのペンダントネックレスとして使用することができる。
【００６５】
以上の通り、本考案の装飾体１及び装身具１０１は、装飾基体５１と装飾体１とを別個の構成体とし、それぞれを組み合わせることで、異なるデザインの装飾体１を同じ種類の装身具１０１に用いたり、同じデザインの装飾体１を他種類の装身具１０１に用いることができるので、装飾基体と装飾体とが一体化された新たな装身具を購入しなくても、装身具のバリエーションを増やすことができる。
【００６６】
なお、本考案は前述した実施の形態のみに限定されるものではなく、本考案の要旨を逸脱しない範囲において種々の変更が可能であることは勿論である。
【符号の説明】
【００６７】
１    装飾体
１１    スタッド
１２    膨頭状の飾りパーツ
１３    鎖
１４    管状の飾りパーツ
１５    リング
１６    鎖
１７    飾りパーツ
１８    鎖
１９    飾りパーツ
２０    バチ環
５１    装飾基体
５２    ネックレス
５３    支持部
５４    挿通部
５５    取り付け部
５６    支持部
６１    ネックレス
６２    ペンダントトップ
６３    平行線部
１０１    装身具
【図１Ａ】
0003149679.tif 000003
【図１Ｂ】
0003149679.tif 000004
【図２】
0003149679.tif 000005
【図３】
0003149679.tif 000006
【図４】
0003149679.tif 000007
【図５】
0003149679.tif 000008
【図６】
0003149679.tif 000009
【図７】
0003149679.tif 000010
【図８】
0003149679.tif 000011
【図９Ａ】
0003149679.tif 000012
【図９Ｂ】
0003149679.tif 000013
【図１０】
0003149679.tif 000014
【図１１】
0003149679.tif 000015
【図１２】
0003149679.tif 000016